(57)【要約】      （修正有）【課題】保留ボウルに大量のコインが貯留されていても、回転ディスクの付近でのコインブリッジを防止し、コインの払い出しを円滑に行うことができるコイン撹拌手段を提案することを目的とする。【解決手段】保留ボウル１０２の下部に配置した回転ディスク１１０によってコインを一つずつ払い出すようにしたコインホッパ１００において、複数の棒状部材からなるコイン撹拌手段を回転ディスク上に配置し、かつ、前記回転ディスクと共に回転されるようにしたことを特徴とするコインホッパである。【選択図】図２
2014203180.tif 000002
【特許請求の範囲】
【請求項１】
保留ボウルに貯留されたコインを回転ディスクに形成された複数の貫通孔を介してホッパベース上に落下させ、前記回転ディスクの回転に伴って前記回転ディスクの裏面に配置された押動部により前記ホッパベース上のコインを移動させて所定の出口からコインを払い出すコインホッパにおいて、
前記回転ディスクには前記複数の貫通孔のそれぞれに対応して前記回転ディスクの回転軸線と前記貫通孔の前記回転軸線側周壁との間に前記回転軸線側上がりの傾斜面が形成され、
少なくとも２つの前記貫通孔に対応する傾斜面から前記回転ディスクの外周方向へ向けて斜め上方に延在する棒状のコイン撹拌部材を有する、
ことを特徴とするコインホッパ。
【請求項２】
前記撹拌部材は長さが異なる前記複数の棒状部材からなる請求項１に記載のコインホッパ。
【請求項３】
前記撹拌部材の前記棒状部材が弾性部材からなる請求項１または２に記載のコインホッパ。
【発明の詳細な説明】
【技術分野】
【０００１】
本発明は、コインを一枚ずつ連続的に払い出すコインポッパの改良に関するものである。詳しくは、コインジャムやコインブリッジの発生を簡単な装置で防止したコインホッパに関する。なお、本明細書で使用する「コイン」は、通貨、トークン等の円形ディスクの総称である。
【背景技術】
【０００２】
保留ボウルの下部に配置した回転ディスクによってコインを一つずつ払い出すコインホッパにおいて、保留ボウル内のコインジャムやコインブリッジを防止する技術が各種提案されている。
【０００３】
第１の従来技術として、回転ディスクの回転中心に配置したロッドから斜め上方に延びた複数のアーム部材を設けた撹拌部材が回転ディスクに取り付けられ、回転ディスクの回転によって前記撹拌部材により保留ボウル内のコインを撹拌することが知られている（例えば、特許文献１参照）。
【０００４】
第２の従来技術として、回転ディスク近傍に断面半球状の振分部材とディスク片が取り付けられ、振分部材により回転軸近傍ではコインが規律状態になることを防止し、さらにディスク片でホッパ下層側のコインを撹拌することが知られている。（例えば、特許文献２参照）。
【先行技術文献】
【特許文献】
【０００５】
【特許文献１】特許第４９０５４０７９号公報
【特許文献２】特開平０７−００６２４４号公報
【発明の概要】
【発明が解決しようとする課題】
【０００６】
多量のコインを保留ボウルに貯留した場合、回転ディスクや該回転ディスク付近のコインへの負荷荷重が増大するため、コイン撹拌の効果が低下してしまう欠点がある。
【０００７】
上記第１の従来技術のコインホッパでは、回転ディスク近傍には撹拌部材のアーム部材が存在しないため、回転ディスク上では該回転ディスクの回転による撹拌のみが行われ、回転ディスク上でコインブリッジが形成された場合、コインブリッジを充分に解消することが出来ない問題がある。
【０００８】
上記第２の従来技術のコインホッパでは、該回転ディスクの近傍にコイン撹拌用のディスク片が設けられているが、該ディスク片付近でコインブリッジが形成された場合、上記と同じ理由によりコインブリッジを充分に解消することが出来ない問題がある。
【０００９】
本発明は、このような実情を鑑みてなされたもので、保留ボウルに多量のコインが貯留された場合、すなわち回転ディスクへの貯留コインによる負荷荷重が増大した場合であっても、回転ディスクの付近でのコインブリッジを防止し、コインの払い出しをより円滑に行うことができるコイン撹拌手段を提案することを目的としている。
【課題を解決するための手段】
【００１０】
本発明は、保留ボウルに貯留されたコインを回転ディスクに形成された複数の貫通孔を介してホッパベース上に落下させ、前記回転ディスクの回転に伴って前記回転ディスクの裏面に配置された押動部により前記ホッパベース上のコインを移動させて所定の出口からコインを払い出すコインホッパにおいて、前記回転ディスクには前記複数の貫通孔のそれぞれに対応して前記回転ディスクの回転軸線と前記貫通孔の前記回転軸線側周壁との間に前記回転軸線側上がりの傾斜面が形成され、少なくとも２つの前記貫通孔に対応する傾斜面から前記回転ディスクの外周方向へ向けて斜め上方に延在する棒状のコイン撹拌部材を有する、ことを特徴とするコインホッパである。
【００１１】
このコインホッパにおいて、回転ディスク近傍に回転ディスクと共に回転移動するコイン撹拌手段が設けられている。これにより、貯留ボウルに貯留されたコインによる回転ディスクへの負荷荷重が増大しても、回転ディスク付近のコインを効率的に撹拌することができ、コインブリッジを解消できる。
【００１２】
本発明は、撹拌部材の複数の棒状部材が長さが異なる棒状部材によって構成されていることが好ましい。１つの回転軸線でコイン撹拌部材が回転移動しても、複数の棒状部材の長さを異ならせることで、一方の棒状部材で回転中心付近の内周側を撹拌し、他方の棒状部材で外周側を撹拌させ、棒状部材にかかる負荷が分散、軽減される。
【００１３】
本発明は、撹拌部材の複数の棒状部材が弾性部材で構成されていることが好ましい。棒状部材を弾性部材で構成することで、コイン撹拌時のコインへの衝撃が緩和される。
【図面の簡単な説明】
【００１４】
【図１】本発明のコインホッパの斜視図である。
【図２】本発明のコインホッパの保留ボウルを外した状態の斜視図である。
【図３】本発明のコインホッパの保留ボウルを外した状態の側面図である。
【図４】本発明のコインホッパの回転ディスクの上面側の斜視図である。
【図５】本発明のコインホッパの回転ディスクの裏面側の斜視図である。
【発明を実施するための形態】
【００１５】
図１乃至５を参照して本発明の実施の形態を説明する。図１乃至３は本発明の第１の実施の形態におけるコインホッパ１００を示す斜視図である。図４は回転ディスクの上面側の斜視図であり、図５は回転ディスク部の裏面側からの斜視図である。
【００１６】
図１乃至３および図５に示すように、本発明の実施の形態のコインホッパ１００は、架台１０１と、払い出す前の複数個のコイン（図示せず）を貯留する保留ボウル１０２と、架台１０１上のホッパベース１０３と保留ボウル１０２の底部開口部との間に配置された回転ディスク１１０と、コインを払い出すコイン払い出し部１０４と、を備えている。該回転ディスク１１０は、コインを１枚ずつ受け入れる貫通孔１１１と、貫通孔１１１からホッパベース１０３に落下したコインを押動する押動部１１３と、回転ディスク１１０の回転軸線Ｌ１と貫通孔１１１の回転軸線側周壁との間に形成された回転軸線Ｌ１側上がりの傾斜面１１２と、を有している。
【００１７】
図４乃至５に示すように、本発明の実施の形態のコイン撹拌手段１２０は、複数本の棒状部材１２１ａ、１２１ｂ（本実施の形態では２本）の下端部が回転ディスク１１０に固定され、上端部が回転ディスク１１０の外周方向斜め上方に延在する状態で構成されている。
【００１８】
本実施の形態では、棒状部材１２１ａ、１２１ｂの下端部は回転ディスク１１０の傾斜面１１２に形成された取付穴１２２ａ、１２２ｂにそれぞれ挿入され、回転ディスク１１０の裏面側に形成された固定穴１２４ａ、１２４ｂに挿入されたネジなどの固定具１２３ａ、１２３ｂで固定されている。
【００１９】
固定手段に関し、ネジに限定されることはなく、針状の部材で固定してもかまわないし、接着剤や樹脂などで固定してもかまわない。
【００２０】
棒状部材１２１ａ、１２１ｂは、それぞれ長さが異なるように構成されている。回転ディスク１１０の回転軸線Ｌ１でコイン撹拌部材１２０が回転移動しても、棒状部材１２１ａ、１２１ｂの長さを異ならせることで、一方の棒状部材１２０ａまたは１２０ｂで回転中心付近の内周側を撹拌し、他方の棒状部材１２０ａまたは１２０ｂで外周側を撹拌することで、棒状部材１２０ａ、１２０ｂにかかる負荷を分散、軽減することができる。
【００２１】
棒状部材１２１ａ、１２１ｂは弾性部材で構成されている。棒状部材１２１ａ、１２１ｂを弾性部材で構成することで、コイン撹拌時のコインへの衝撃を緩和することができる。
【００２２】
本実施の形態では、それぞれ長さが異なる２本の棒状部材から構成されているが、棒状部材１２１ａ、１２１ｂの長さは同じ長さでもかまわない。
【００２３】
本実施の形態のコイン撹拌手段１２０は、棒状部材の本数も２本に限定されず、２本以上の複数本使用してもかまわない。
【００２４】
前記保留ボウル１０２、前記架台１０１、前記ホッパベース１０３、前記回転ディスク１１０等の構成や前記回転ディスク１１０に形成された貫通孔１１１による捕獲及び捕獲されたコインの押動部１１３による払い出し部１０４への押動および払い出し工程などは、本実施の形態のコイン撹拌手段１２０の作用及び効果に影響を与えるということでもなく、従来技術と同様の構成および機能であるため、ここでは詳細な説明を省略する。
【００２５】
以下、本実施の形態の作用に関して説明する。
【００２６】
前記保留ボウル１０２に複数個のコインがバラ積み状態で保留される。保留されたコインを払い出すために、回転ディスク１１０が回転され、回転ディスク１１０の貫通孔１１１で捕獲され、回転ディスク１１０の裏面に形成された押動部１１３で払い出し部１０４まで移動され、払い出し部１０４から１枚ずつ払い出される。
【００２７】
回転ディスク１１０が回転された場合、回転ディスク１１０上に設けられたコイン撹拌手段１２０は回転ディスク１１０の回転に伴い移動する。これにより、回転ディスク１１０付近のコインは回転ディスク１１０自体の回転により撹拌されるだけでなく、コイン撹拌手段１２０（換言すれば棒状部材１２１ａ、１２１ｂ）によっても積極的に撹拌される。
【００２８】
さらに、本実施の形態のコイン撹拌手段１２０の棒状部材１２１ａ、１２１ｂは、各々異なる長さで構成されている。そのため、一方の棒状部材１２１ａまたは１２１ｂにより撹拌範囲の内側が撹拌され、他方の棒状部材１２１ａまたは１２１ｂで外周側が撹拌される。
【００２９】
上記のような撹拌がコイン撹拌手段１２０によって行われるため、多量のコインが貯留ボウル１０２に貯留された場合、すなわち回転ディスク１２０への負荷荷重が大きい場合であって、回転ディスク１１０付近にコインブリッジが形成されても、回転ディスク１１０自体とコイン撹拌手段１２０とでコインの一部を強制的に移動されるため、コインブリッジが解消される。
【００３０】
また、コインが回転ディスク１１０上面で回転ディスク１１０の回転面に対して立ち上がった状態となっても、コイン撹拌手段１２０の棒状部材１２１ａ、１２１ｂは回転ディスク１２０に近接して配置されているため、棒状部材１２１ａ、１２１ｂによりコインは姿勢を変えられ、貫通孔１１１に落下しやすくなる。
【００３１】
上記したように、本発明において、コイン撹拌手段１２０を回転ディスク１１０に近接して設けたため、回転ディスク１１０付近のコインは回転ディスク１１０とコイン撹拌手段１２０によっても積極的に撹拌が行われる。したがって、保留ボウル１０２に多量のコインが貯留された場合、すなわち回転ディスク１１０への貯留コインによる負荷荷重が増大した場合であっても、コイン撹拌手段１２０でコインのバランスを崩し、コインブリッジを解消する効果が高められる。
【００３２】
また、コイン撹拌手段１２０が回転ディスク１１０に近接して配置されているため、コイン撹拌手段１２０によりコインは姿勢を変えられ、貫通孔１１１に落下しやすくなる効果がある。
【００３３】
したがって、貯留ボウル１０２内に多量のコインが貯留されていて、回転ディクス１１０付近へのコインの負荷荷重が大きい場合でも、保留ボウル１０２内のコインを残らず払い出すことができる利点がある。
【符号の説明】
【００３４】
１００  コインホッパ
１０１  架台
１０２  保留ボウル
１０３  ホッパベース
１０４  払い出し部
１１０  回転ディスク
１１１  貫通孔
１１２  傾斜面
１１３  押動部
１２０  コイン撹拌手段
１２１ａ、１２１ｂ  棒状部材
１２２ａ、１２２ｂ  取付穴
１２３ａ、１２３ｂ  固定具
１２４ａ、１２４ｂ  固定穴
Ｌ１  回転軸線 
θ  回転軸線と棒状部材がなす角度
【図１】
2014203180.tif 000003
【図２】
2014203180.tif 000004
【図３】
2014203180.tif 000005
【図４】
2014203180.tif 000006
【図５】
2014203180.tif 000007